(57)【特許請求の範囲】
【請求項１】
円筒形状凹部を有する台体と、円筒外面および製品当接面を有し、前記円筒形状凹部に入れて前記円筒外面を摺接し、前記製品当接面に製品を当接したとき前記円筒形状凹部内で回動して緩衝する筒状支持体とを備えてなる、包装用緩衝装置。
【請求項２】
前記製品当接面を前記筒状支持体の半径方向に設けてなる、請求項１に記載の包装用緩衝装置。
【請求項３】
前記台体を２つ設け、それらの台体でそれぞれ前記筒状支持体の両端を支持してなる、請求項１または２に記載の包装用緩衝装置。
【請求項４】
前記台体に、前記筒状支持体に掛け止めてその回動範囲を規制する掛止部を設けてなる、請求項１、２または３に記載の包装用緩衝装置。
【請求項５】
前記台体に、前記掛止部に押し当ててそれに弾性を付与する蛇腹形状部を設けてなる、請求項４に記載の包装用緩衝装置。
【請求項６】
前記台体および前記筒状支持体を、それぞれ１枚の紙製シートを折り曲げて形成してなる、請求項１、２、３、４または５に記載の包装用緩衝装置。
【発明の詳細な説明】
【０００１】
【発明の属する技術】
この発明は、製品を包装するとき、包装内に入れて製品が受ける衝撃を和らげる、主として紙製の包装用緩衝装置に関する。
【０００２】
【従来の技術】
従来、この種の包装用緩衝装置では、紙製シートの一部を折り返して立体形状の緩衝部を形成し、その上に製品を自然状態で載置して後、包装していた。そして、例えば製品を落下したときには、落下による衝撃を緩衝部の変形で吸収して製品の破損を防止していた（例えば実開平７−４０４３７号公報参照）。
【０００３】
【発明が解決しようとする課題】
ところが、このような従来の包装用緩衝装置では、紙質によって緩衝の度合が大きく相違し、例えば紙質が硬すぎる場合には、衝撃を十分に吸収しきれずに、製品にダメージを与える問題があった。
【０００４】
そこで、この発明の第１の目的は、包装用緩衝装置において、紙質に左右されずに衝撃を吸収して製品へのダメージを低減することにある。
【０００５】
この発明の第２の目的は、加えて、筒状支持体を回動する方向に力が加わり、製品が受ける衝撃を的確に吸収し得るようにすることにある。
【０００６】
この発明の第３の目的は、加えて、製品が受ける衝撃をバランスよく吸収し得るようにすることにある。
【０００７】
この発明の第４の目的は、加えて、より強い衝撃を吸収し得るようにすることにある。
【０００８】
この発明の第５の目的は、加えて、さらに一層強い衝撃を吸収し得るようにすることにある。
【０００９】
この発明の第６の目的は、加えて、安価に製作可能とすることにある。
【００１０】
【課題を解決するための手段】
そのため、請求項１に記載の発明は、上記第１の目的を達成すべく、包装用緩衝装置において、円筒形状凹部を有する台体と、円筒外面および製品当接面を有し、円筒形状凹部に入れて円筒外面を摺接し、製品当接面に製品を当接したとき円筒形状凹部内で回動して緩衝する筒状支持体とを備えてなる、ことを特徴とする。
【００１１】
請求項２に記載の発明は、上記第２の目的を達成すべく、請求項１に記載の包装用緩衝装置において、製品当接面を前記筒状支持体の半径方向に設けてなる、ことを特徴とする。
【００１２】
請求項３に記載の発明は、上記第３の目的を達成すべく、請求項１または２に記載の包装用緩衝装置において、台体を２つ設け、それらの台体でそれぞれ筒状支持体の両端を支持してなる、ことを特徴とする。
【００１３】
請求項４に記載の発明は、上記第４の目的を達成すべく、請求項１、２または３に記載の包装用緩衝装置において、台体に、筒状支持体に掛け止めてその回動範囲を規制する掛止部を設けてなる、ことを特徴とする。
【００１４】
請求項５に記載のものは、上記第５の目的を達成すべく、請求項４に記載の包装用緩衝装置において、台体に、掛止部に押し当ててそれに弾性を付与する蛇腹形状部を設けてなる、ことを特徴とする。
【００１５】
請求項６に記載の発明は、上記第６の目的を達成すべく、請求項１、２、３、４または５に記載の包装用緩衝装置において、台体および筒状支持体を、それぞれ１枚の紙製シートを折り曲げて形成してなる、ことを特徴とする。
【００１６】
【発明の実施の形態】
以下、図面を参照しつつ、この発明の実施の形態につき詳細に説明する。
図１には、この発明による包装用緩衝装置を示す。図中符号１０は左台体であり、２０は右台体である。符号３０は、両端をそれらの円筒形状凹部４０・５０内に入れる筒状支持体である。
【００１７】
図示例では、左台体１０と右台体２０とは、連結部ａで連結して、段ボール等の１枚の紙製シートを折り曲げて形成する。
【００１８】
１枚の紙製シートは、図２に示すように、一定幅ｂで細長なシート部Ｓに、左台体形成部１０Ａと連結部ａと右台体形成部２０Ａとを設ける。
【００１９】
左台体形成部１０Ａには、一端側から折り曲げ線イ、ロ、ハ、ニで区切って底部１１、片側側部１２、頂部１３、他側側部１４を設ける。そして、底部１１の一側からは、まっすぐに掛止部１５をのばす。掛止部１５には、途中に角孔１６、先端に差込み部１７を形成する。
【００２０】
頂部１３の一側からは、まっすぐに蛇腹形状部１８をのばす。蛇腹形状部１８は、一定間隔置きに互い違いに折り曲げ、先端に差込み部１９を形成する。また、頂部１３の中央には、隣接する側部１２・１４に半円状に入り込んで凹部形成孔４０Ｈを設ける。
【００２１】
他方、右台体形成部２０Ａには、他端側から折り曲げ線ホ、ヘ、ト、チで区切って底部２１、片側側部２２、頂部２３、他側側部２４を設ける。そして、底部２１の一側からは、まっすぐに掛止部２５をのばす。掛止部２５には、途中に角孔２６、先端に差込み部２７を形成する。
【００２２】
頂部２３の一側からは、まっすぐに蛇腹形状部２８をのばす。蛇腹形状部２８は、一定間隔置きに互い違いに折り曲げ、先端に差込み部２９を形成する。また、頂部２３の中央には、隣接する側部２２・２４に半円状に入り込んで凹部形成孔５０Ｈを設ける。
【００２３】
この図２に示す紙製シートから左台体１０を形成するときは、はじめに蛇腹形状部１８を一定間隔置きに互い違いに折り曲げる。次いで、シート部Ｓを一端側から順に折り曲げ線イ、ロ、ハ、ニで同じ側に直角に折り曲げ、底部１１を連結部ａの端に重ね合わす。これにより、凹部形成孔４０Ｈで、図３（Ａ）および（Ｂ）に示すように円筒形状凹部４０を形成する。
【００２４】
その後、掛止部１５の基部を折り曲げてその角孔１６に、またはすでに基部で曲げ起こした掛止部１５の角孔１６に、図３（Ａ）および（Ｂ）に示すように、蛇腹形状部１８の差込み部１９を挿入し、掛止部１５の先端を円筒形状凹部４０の近くにまでのばす。
【００２５】
右台体２０を形成するときも、同様に、はじめに蛇腹形状部２８を一定間隔置きに互い違いに折り曲げる。次いで、シート部Ｓを他端側から順に折り曲げ線ホ、ヘ、ト、チで同じ側に直角に折り曲げ、底部２１を連結部ａの端に重ね合わせる。これにより、凹部形成孔５０Ｈで円筒形状凹部５０を形成する。その後、掛止部２５の角孔２６に蛇腹形状部２８の差込み部２９を挿入し、掛止部２５の先端を円筒形状凹部５０の近くにまでのばす。
【００２６】
ところで、図示例では、筒状支持体３０も、段ボール等の１枚の紙製シートを折り曲げて形成する。１枚の紙製シートは、図４に示すように、一定幅ｃで細長で、折り曲げ線リ、ヌ、ルで区切って、内端面形成部３１Ａ、円筒外面形成部３２Ａ、製品当接面形成部３３Ａ、逃げ面形成部３４Ａを設ける。
【００２７】
内端面形成部３１Ａには、一端側から突出して大き目の差込み部３５を設けるとともに、両側に角孔３６ａをあけ、また中央に角孔３７をあける。円筒外面形成部３２Ａには、大き目の角孔３８をあける。逃げ面形成部３４Ａには、打ち抜いて差込み部３９を形成するとともに、両側に角孔３６ｂをあける。
【００２８】
そして、図５に示すように、折り曲げ線リでほぼ直角に折り曲げ、次いで円筒外面形成部３２を湾曲して角孔３８に差込み部３５を入れ、それから折り曲げ線ヌで鋭角に折り曲げて差込み部３９を角孔３７に入れ、折り曲げ線ルで逆向きに鈍角に折り曲げた逃げ面形成部３４Ａを内端面形成部３１Ａの外側に重ね合わせて角孔３６ａと角孔３６ｂとを合わす。
【００２９】
これにより、内端面形成部３１Ａ、円筒外面形成部３２Ａ、製品当接面形成部３３Ａ、逃げ面形成部３４Ａで、それぞれ内端面３１、円筒外面３２、製品当接面３３、逃げ面３４を形成する。製品当接面３３の辺３３ａの長さは、円弧３０ａの半径長さ以下に設定する。
【００３０】
そして、例えば図１に示すように、製品当接面３３を上向きとして筒状支持体３０の両端を左右台体１０・２０の円筒形状凹部４０・５０内へ円筒外面３２と摺接するように入れ、角孔３６ａ・３６ｂ内に掛止部１５・２５の差込み部１７・２７を各々挿入し、筒状支持体３０に掛け止めてその回動範囲を規制する。また、このとき蛇腹形状部１８・２８を各々掛止部１５・２５に押し当ててその掛止部１５に弾性を付与する。
【００３１】
いま、この図示包装用緩衝装置を使用するときは、図６に示すように、製品当接面３３上に製品１００を載せる。そして、例えば運搬時等の衝撃により、製品当接面３３に製品１００からＦの荷重が加わると、円筒形状凹部４０・５０内で筒状支持体３０が時計まわりに回動して緩衝し、かつ図示例ではその回動により掛止部１５・２５を引っ張り、図７に示すように蛇腹形成部１８・２８を圧縮してその衝撃を吸収する。
【００３２】
よって、例えば図８に示すように、包装用外箱７０内で、製品当接面３３に製品１００の上下面を当接して製品１００を収納したときには、図示包装用緩衝装置７１で製品１００が受ける上下方向の衝撃を吸収することができる。
【００３３】
また、図９に示すように、包装用外箱７０内で、製品当接面３３に製品１００の左右面を当接して製品１００を収納したときには、図示包装用緩衝装置７１で製品１００が受ける左右方向の衝撃を吸収することができる。
【００３４】
なお、図８および図９において、図中符号７２で示すものは、補助緩衝部材である。
【００３５】
【発明の効果】
以上説明したように、請求項１に記載の発明によれば、台体の円筒形状凹部に筒状支持体を入れて円筒外面を摺接し、製品当接面に製品を当接したとき円筒形状凹部内で回動して緩衝するから、包装用緩衝装置において、紙質に左右されずに衝撃を吸収して製品へのダメージを低減することができる。
【００３６】
請求項２に記載の発明によれば、製品当接面を筒状支持体の半径方向に設けるから、加えて、筒状支持体を回動する方向に力が加わり、製品が受ける衝撃を的確に吸収することができる。
【００３７】
請求項３に記載の発明によれば、台体を２つ設け、それらの台体でそれぞれ筒状支持体の両端を支持するから、加えて、製品が受ける衝撃を筒状支持体の両端でバランスよく吸収することができる。
【００３８】
請求項４に記載の発明によれば、台体に、筒状支持体に掛け止めてその回動範囲を規制する掛止部を設けるから、加えて、掛止部で筒状支持体の回動範囲を規制してより強い衝撃を吸収することができる。
【００３９】
請求項５に記載の発明によれば、台体に、掛止部に押し当ててそれに弾性を付与する蛇腹形状部を設けるから、加えて、蛇腹形状部の弾性でさらに一層強い衝撃を吸収することができる。
【００４０】
請求項６に記載の発明によれば、台板および筒状支持体を、それぞれ１枚の紙製シートを折り曲げて形成するから、加えて、安価に製作可能とすることができる。
【図面の簡単な説明】
【図１】この発明による包装用緩衝装置の斜視図である。
【図２】その包装用緩衝装置の左右台体を形成する紙製シートの展開図である。
【図３】その左台体の組立図で、（Ａ）は斜視図、（Ｂ）はその左側面図である。
【図４】図１の包装用緩衝装置の筒状支持体を形成する紙製シートの展開図である。
【図５】その筒状支持体の組立て斜視図である。
【図６】図１の包装用緩衝装置に製品を載せた状態を説明する部分拡大構成図である。
【図７】緩衝状態を説明する部分拡大構成図である。
【図８】使用状態の一例を示す製品包装状態図である。
【図９】使用状態の他例を示す製品包装状態図である。
【符号の説明】
１０    台体
１５    掛止部
１８    蛇腹形状部
２０    台体
２５    掛止部
２８    蛇腹形状部
３０    筒状支持体
３２    円筒外面
３３    製品当接面
４０    円筒形状凹部
５０    円筒形状凹部
７１    包装用緩衝装置
１００    製品
【図１】
0004666843.tif 000002
【図２】
0004666843.tif 000003
【図３】
0004666843.tif 000004
【図４】
0004666843.tif 000005
【図５】
0004666843.tif 000006
【図６】
0004666843.tif 000007
【図７】
0004666843.tif 000008
【図８】
0004666843.tif 000009
【図９】
0004666843.tif 000010